(57)【要約】【課題】  清掃部分の交換が容易にできて且つ清掃部分となる不織布の装着状態を確実に維持でき、しかも通常市販されている不織布を利用できるようにすることにある。【解決手段】  プレート２の基端に把手３を設けた本体４のプレート２にスリット５を開設することにより弾性変形が自在な舌片６を複数形成し、プレート２に巻回した不織布Ｆの一部を舌片６に挟持させる構成で、プレート２に対する不織布Ｆの装着は簡単且つ確実に強固に達成され、不織布Ｆは、通常、家庭内に種々の目的で用意されてある製品を使用することができる。【選択図】        図１
2011019584.tif 000002
【特許請求の範囲】
【請求項１】
プレート（２）の基端に把手（３）を設けた本体（４）の前記プレート（２）にスリット（５）を開設することにより弾性変形が自在な舌片（６）を複数形成し、プレート（２）に巻回した不織布（Ｆ）の一部を前記舌片（６）に挟持させることを特徴とする掃除具。
【請求項２】
プレート（２）に、長さ方向に沿って補強リブ（７）を設けたことを特徴とする請求項１に記載の掃除具。
【請求項３】
舌片（６）の一部に係止突起（９）を設けたことを特徴とする請求項１に記載の掃除具。
【発明の詳細な説明】
【技術分野】
【０００１】
本発明は、床面や壁面を清掃する掃除具に関するものである。
【背景技術】
【０００２】
床面や壁面、或いは家具や電気機器等に付着した埃を拭い取って清掃する掃除具として、例えば下記のような特許文献の発明が提案されている。
【先行技術文献】
【特許文献】
【０００３】
【特許文献１】再公表特許Ｗ２００５−０９２１７１号公報
【特許文献２】特開２００２−１６５７４２号公報
【特許文献３】特開２００６−２９６７１２号公報
【発明の概要】
【発明が解決しようとする課題】
【０００４】
特許文献１の発明「清掃具及びそれに用いる保持部材」では、「狭い隙間を清掃する際に奥の方まで届き充分な清掃能力を発揮できる清掃具」として、清掃シートと、それを保持するための保持部材とからなり、保持部材は、柄部材と、この柄部材にスライド可能に設けられた支持アームと、この支持アームに連結された脚部とを有し、脚部を支持アームと実質的に同一平面に位置する構成が示されている。
【０００５】
しかしながらこの構成は、構造が極めて複雑であり、清掃シートとして専用のものを用いなければならず、簡便性に欠ける。
【０００６】
特許文献２の発明「清掃用物品の保持具」では、基端に握り部が設けられた板状の装着部に袋状の繊維シートを挿入し、装着部基端でシートを突起状の係止手段で係止する構成が示されているが、ここでも繊維シート袋状の特殊なものを用いざるを得ず、基端だけの係止なので保持が不安定で擦りながらの使用が行いにくい問題が推測される。
【０００７】
更に特許文献３の発明「清掃具」では、弾性変形が可能な板状のシート押圧部に袋状の清掃シートを装着する構成が示されているが、清掃シートは袋状の特殊なものであり、清掃シートに対する押圧部の保持は押圧部を拡幅することにより行うものであるから、不安定である。
【０００８】
また、従来市販されている製品には、柄の先端にスポンジを連設し、このスポンジに交換可能な不織布シートを巻回する構成のものも見られるが、スポンジを含む不織布シートが肉厚となってしまって扱いにくく、そのため特に家具と床面或いは壁面との間に挿入しにくくなるため有効な掃除ができず、また、使用経時に従ってスポンジが汚れたり劣化し易いといった欠点があった。
【０００９】
よって本発明は、上述した従来技術の欠点、不都合、不満を解消するべく開発された掃除具であって、清掃部分の交換が容易にできて且つ清掃部分となる不織布の装着状態を確実に維持でき、しかも通常市販されている不織布を利用できるようにすることを目的とする。
【課題を解決するための手段】
【００１０】
上記課題を解決するため、本発明の掃除具は、プレートの基端に把手を設けた本体の前記プレートにスリットを開設することにより弾性変形が自在な舌片を複数形成し、プレートに巻回した不織布の一部を前記舌片に挟持させることを特徴とする。
【００１１】
この場合、プレートに、長さ方向に沿って補強リブを設ける。
【００１２】
また、舌片の一部に係止突起を設ける。
【発明の効果】
【００１３】
上記した本発明にあって、プレートに対する不織布の装着は、単に不織布をプレートに巻回し、舌片を弾性変形させてスリットを大きく開口させ、この開口部分から不織布の一部を挿入して弾性復帰した舌片に挟持させるだけで、簡単且つ確実に強固に達成される。
【００１４】
また、交換等で不織布を外す場合には、その端部をスリットから引き抜くだけで簡単に達成される。
【００１５】
不織布は、通常、家庭内に種々の目的で用意されてある製品を使用すれば良く、殊更に専用の製品を成形する必要はなく、また、汚れたならば外して裏面を再使用することができる。
【００１６】
不織布の装着時に舌片を弾性変形させなければならないため、また、清掃時に床面或いは壁面との間に弾性変形させながら挿入する必要があるため、プレートは或る程度肉薄であるが、一方では、舌片を弾性変形させる際、或いは清掃の際に不織布を強く床面等に押し付けなければならない等の使い勝手の点からすると所謂腰の強さも求められる。従って、補強の機能を持たせるため、プレートに長さ方向に沿ってリブを設けると良い。
【００１７】
また、不織布の装着強度を更に高めるため、舌片の一部に係止突起を設け、この係止突起を不織布に食い込ませて、確実性を持たせても良い。
【００１８】
よって本発明の掃除具は、構成が簡単で不織布の装着が確実且つ容易であり、市販の不織布を利用できるので経済性も良く、掃除の作業効率も向上する等、多くの優れた作用効果を奏する。
【図面の簡単な説明】
【００１９】
【図１】本発明の斜視図である。
【図２】図１に於けるＡ−Ａ線断面図である。
【図３】不織布を装着した状態のＡ−Ａ線断面図である。
【図４】補強リブの形態を示す部分断面図である。
【図５】舌片の形態を示す部分斜視図である。
【図６】舌片の形態を示す断面図である。
【発明を実施するための形態】
【００２０】
清掃具１は弾性変形が自在な合成樹脂製であって、比較的肉薄なプレート２の基端に把手３を設けて本体４を構成し、プレート２にスリット５を開設することにより弾性変形が自在な舌片６を複数形成し、プレート２に巻回した不織布Ｆの一部を舌片６に挟持させる。
【００２１】
プレート２の中心には、腰の強さを確保するものとして補強リブ７が長さ方向に沿って設けられているが、この補強リブ７は凸条状であっても凹溝状であっても、更には凸条と凹溝とを組み合わせた形態であっても良い。
【実施例１】
【００２２】
舌片６は、図示実施例では緩やかな湾曲線のスリット５を開設することにより形成しているが、コ字形状に屈曲するスリット５により形成しても良い。
【００２３】
プレート２の基端と把手３との間の連結部８は、把手３に向かって上昇する傾斜構造となっていて、清掃時に把手３を把持して巻回された不織布Ｆを含むプレート２を床面等に押し付けた際に把手３が床面から浮き上がることができるようにし、清掃操作をよりやり易いものにしている。
【００２４】
図２、図３は図１でのＡ−Ａ線断面図で、図２の状態から不織布Ｆをプレート２に巻回し、舌片６を指で上方から押し下げて弾性変形させてスリット５を大きく開口させ、不織布Ｆの一部をスリット５に挿入して指を離すと、図３の如く舌片６が弾性復帰し、不織布Ｆは確実にプレート２部分に装着された状態となる。
【００２５】
逆に不織布Ｆを外すには、図３の状態ではみ出ている不織布Ｆの端部Ｆ´をスリット５から引き抜けば良い。
【００２６】
図４は補強リブ７の各種形態を示したものであり、(ａ)は上方に突出する一本の凸条により形成したもの、(ｂ)は二本の凸条を設けることにより間に凹溝を設けて形成したもの、更には
(Ｃ)の如く半抜き状に加工して、上面に凸条、下面に凹溝を形成することも考えられる。
【００２７】
図５は、舌片６の各種形態を示したものであり、(ａ)は舌片６の端面に波形状に連続する係止突起９を設ける構成、(ｂ)は舌片６の周縁の上面或いは下面或いは両面に複数の係止突起９を設ける構成、(ｃ)は舌片６の端面に複数の係止突起９を設ける構成、更に図６は、舌片６の周縁及び対向縁に係止突起９を設ける構成であり、この係止突起９を不織布Ｆに食い込ませることができるようにしている。
【符号の説明】
【００２８】
１  掃除具
２  プレート
３  把手
４  本体
５  スリット
６  舌片
７  補強リブ
８  傾斜部
９  係止突起
Ｆ  不織布
【図１】
2011019584.tif 000003
【図２】
2011019584.tif 000004
【図３】
2011019584.tif 000005
【図４】
2011019584.tif 000006
【図５】
2011019584.tif 000007
【図６】
2011019584.tif 000008